(57)【要約】【課題】小型化、省コスト化を図るとともに、応答性を犠牲にすることなく対物レンズの温度勾配に起因する光学収差の発生を防止する。【解決手段】レンズホルダ２には１つのフォーカスコイル２０と２つのトラッキングコイル３０が設けられている。レンズホルダ２は対物レンズ７を収容する収容凹部２００２を有している。レンズホルダ２の内周面２００６と対物レンズ７の外周面７００２との間およびレンズホルダ２の底面２００８と一方のレンズ面７００４との間に熱伝導性を有する膜４０が設けられている。レンズホルダ２の内周面２００６および底面２００８と対物レンズ７の外周面７００２および一方のレンズ面７００４との間にそれぞれ膜４０が介在した状態で対物レンズ７が収容凹部２００２に接着剤により接着され取着されている。【選択図】        図３
2006004522.tif 000002
【特許請求の範囲】
【請求項１】
対物レンズを保持するレンズホルダと、
前記レンズホルダに設けられ前記レンズホルダの前記対物レンズの光軸方向であるフォーカス方向への移動用のフォーカスコイルと、
前記レンズホルダに設けられ前記レンズホルダの前記フォーカス方向と直交するトラッキング方向への移動用のトラッキングコイルとを備える光ピックアップであって、
前記対物レンズは、前記対物レンズの光軸を中心とする外周面と、前記対物レンズの光軸方向の両側に位置するレンズ面とを有し、
前記レンズホルダは、前記対物レンズを収容する収容凹部を有し、
前記収容凹部は、前記対物レンズの外周面に対応した直径の内周面と、前記２つのレンズ面のうちの一方のレンズ面の外周寄り部分に対応した環状の底面とを有し、
前記レンズホルダの内周面と前記対物レンズの外周面との間および前記レンズホルダの底面と前記一方のレンズ面との間に熱伝導性を有する膜が設けられ、
前記レンズホルダの内周面と前記対物レンズの外周面との間および前記レンズホルダの底面と前記一方のレンズ面との間にそれぞれ前記膜が介在した状態で前記対物レンズが前記収容凹部に取着されている、
ことを特徴とする光ピックアップ。
【請求項２】
前記膜は前記レンズホルダの前記内周面と前記底面にそれぞれ設けられていることを特徴とする請求項１記載の光ピックアップ。
【請求項３】
前記膜は前記対物レンズの前記外周面と前記一方のレンズ面にそれぞれ設けられていることを特徴とする請求項１記載の光ピックアップ。
【請求項４】
前記膜は金属膜であり、前記膜は射出成型回路部品技術、すなわちＭＩＤ（Ｍｏｌｄｅｄ  Ｉｎｔｅｒｃｏｎｎｅｃｔｉｏｎ  Ｄｅｖｉｃｅｓ）技術を用いて前記レンズホルダあるいは前記対物レンズと一体的に形成されていることを特徴とする請求項１記載の光ピックアップ。
【請求項５】
前記レンズホルダから前記フォーカス方向およびトラッキング方向の双方に直交する方向であるタンジェンシャル方向に間隔をおいて支持ブロックが設けられ、前記レンズホルダは複数のサスペンションワイヤを介して前記支持ブロックによりフォーカス方向およびトラッキング方向に移動可能に支持されていることを特徴とする請求項１記載の光ピックアップ。
【請求項６】
前記対物レンズはプラスチックレンズで構成されていることを特徴とする請求項１記載の光ピックアップ。
【請求項７】
前記対物レンズの開口数が０．８以上であることを特徴とする請求項１記載の光ピックアップ。
【請求項８】
光ディスクを保持して回転駆動する駆動手段と、
前記駆動手段によって回転駆動する光ディスクに対し記録および／または再生用の光ビームを照射し、前記照射された光ビームの前記光記録媒体での反射光による反射光ビームを検出する光ピックアップとを有する光ディスク装置であって、
前記光ピックアップは、
対物レンズを保持するレンズホルダと、
前記レンズホルダに設けられ前記レンズホルダの前記対物レンズの光軸方向であるフォーカス方向への移動用のフォーカスコイルと、
前記レンズホルダに設けられ前記レンズホルダの前記フォーカス方向と直交するトラッキング方向への移動用のトラッキングコイルとを備え、
前記対物レンズは、前記対物レンズの光軸を中心とする外周面と、前記対物レンズの光軸方向の両側に位置するレンズ面とを有し、
前記レンズホルダは、前記対物レンズを収容する収容凹部を有し、
前記収容凹部は、前記対物レンズの外周面に対応した直径の内周面と、前記２つのレンズ面のうちの一方のレンズ面の外周寄り部分に対応した環状の底面とを有し、
前記レンズホルダの内周面と前記対物レンズの外周面との間および前記レンズホルダの底面と前記一方のレンズ面との間に熱伝導性を有する膜が設けられ、
前記レンズホルダの内周面と前記対物レンズの外周面との間および前記レンズホルダの底面と前記一方のレンズ面との間にそれぞれ前記膜が介在した状態で前記対物レンズが前記収容凹部に取着されている、
ことを特徴とする光ディスク装置。
【請求項９】
前記膜は前記レンズホルダの前記内周面と前記底面にそれぞれ設けられていることを特徴とする請求項８記載の光ディスク装置。
【請求項１０】
前記膜は前記対物レンズの前記外周面と前記一方のレンズ面にそれぞれ設けられていることを特徴とする請求項８記載の光ディスク装置。
【請求項１１】
前記膜は金属膜であり、前記膜は射出成型回路部品技術、すなわちＭＩＤ（Ｍｏｌｄｅｄ  Ｉｎｔｅｒｃｏｎｎｅｃｔｉｏｎ  Ｄｅｖｉｃｅｓ）技術を用いて前記レンズホルダあるいは前記対物レンズと一体的に形成されていることを特徴とする請求項８記載の光ディスク装置。
【請求項１２】
前記レンズホルダから前記フォーカス方向およびトラッキング方向の双方に直交する方向であるタンジェンシャル方向に間隔をおいて支持ブロックが設けられ、前記レンズホルダは複数のサスペンションワイヤを介して前記支持ブロックによりフォーカス方向およびトラッキング方向に移動可能に支持されていることを特徴とする請請求項８記載の光ディスク装置。
【請求項１３】
前記対物レンズはプラスチックレンズで構成されていることを特徴とする請求項８記載の光ディスク装置。
【請求項１４】
前記対物レンズの開口数が０．８以上であることを特徴とする請求項８記載の光ディスク装置。
【発明の詳細な説明】
【技術分野】
【０００１】
本発明は、光ディスクに信号の記録や再生を行う光ディスク装置および光ディスク装置に用いられる光ピックアップに関する。
【背景技術】
【０００２】
ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光ディスクに対して光ビームを照射して信号の記録あるいは再生あるいは記録および再生を行う光ピックアップがある。
このような光ピックアップは、対物レンズを保持するレンズホルダを有し、レンズホルダにはレンズホルダをフォーカス方向に動かすフォーカスコイルおよびレンズホルダをトラッキング方向に動かすトラッキングコイルが設けられている。
一方、近年、光ディスクの高記録密度化に伴って光ビームの短波長化と対物レンズの高ＮＡ（開口数）化が進められている。また、成型の容易さやガラス製レンズよりコストが抑えられる理由により、対物レンズとしてプラスチックレンズが採用されることが多くなってきている。
ところで、プラスチックレンズは温度変化によって変形しやすく、プラスチックレンズの温度分布に偏りが発生すると、言い換えると、温度勾配が発生するとプラスチックレンズに歪みが生じ種々の光学収差が発生しやすい。
したがって、対物レンズとしてプラスチックレンズを用いた場合、フォーカスコイルおよびトラッキングコイルに流れる電流によりこれらコイルが発熱し、その熱がレンズホルダを介して対物レンズに伝わり前記温度勾配に起因する光学収差が発生すると、光ピックアップにおけるサーボ特性や再生信号の品質の悪化を招く問題がある。
このような問題を回避するために、熱伝導率が高い材料で構成された環状部材を対物レンズとレンズホルダとの間に介在させレンズホルダの熱を環状部材で均一化させて対物レンズに伝わるようにし、これにより対物レンズにおける温度勾配の発生を抑制する光ピックアップが提案されている（例えば特許文献１参照）。
【特許文献１】特開平１１−１７６００９号公報
【発明の開示】
【発明が解決しようとする課題】
【０００３】
しかしながら、前記光ピックアップでは、レンズホルダに環状部材を設けるため、部品点数が増加し光ピックアップの小型化およびコストの削減を図る上で不利となり、また、レンズホルダの重量が増加することから光ピックアップの応答性の向上を図る上でも不利となり、また、レンズホルダと対物レンズの間に環状部材が介在することからこの環状部材の精度のばらつきにより対物レンズの光軸の位置精度を確保することが難しく製造コストが嵩む不利がある。
本発明はこのような事情に鑑みなされたもので、その目的は小型化、省コスト化を図るとともに、応答性を犠牲にすることなく対物レンズの温度勾配に起因する光学収差の発生を防止する上で有利な光ピックアップおよび光ディスク装置を提供することにある。
【課題を解決するための手段】
【０００４】
上記目的を達成するために本発明は、対物レンズを保持するレンズホルダと、前記レンズホルダに設けられ前記レンズホルダの前記対物レンズの光軸方向であるフォーカス方向への移動用のフォーカスコイルと、前記レンズホルダに設けられ前記レンズホルダの前記フォーカス方向と直交するトラッキング方向への移動用のトラッキングコイルとを備える光ピックアップであって、前記対物レンズは、前記対物レンズの光軸を中心とする外周面と、前記対物レンズの光軸方向の両側に位置するレンズ面とを有し、前記レンズホルダは、前記対物レンズを収容する収容凹部を有し、前記収容凹部は、前記対物レンズの外周面に対応した直径の内周面と、前記２つのレンズ面のうちの一方のレンズ面の外周寄り部分に対応した環状の底面とを有し、前記レンズホルダの内周面と前記対物レンズの外周面との間および前記レンズホルダの底面と前記一方のレンズ面との間に熱伝導性を有する膜が設けられ、前記レンズホルダの内周面と前記対物レンズの外周面との間および前記レンズホルダの底面と前記一方のレンズ面との間にそれぞれ前記膜が介在した状態で前記対物レンズが前記収容凹部に取着されていることを特徴とする。
また、本発明は、光ディスクを保持して回転駆動する駆動手段と、前記駆動手段によって回転駆動する光ディスクに対し記録および／または再生用の光ビームを照射し、前記照射された光ビームの前記光記録媒体での反射光による反射光ビームを検出する光ピックアップとを有する光ディスク装置であって、前記光ピックアップは、対物レンズを保持するレンズホルダと、前記レンズホルダに設けられ前記レンズホルダの前記対物レンズの光軸方向であるフォーカス方向への移動用のフォーカスコイルと、前記レンズホルダに設けられ前記レンズホルダの前記フォーカス方向と直交するトラッキング方向への移動用のトラッキングコイルとを備える光ピックアップであって、前記対物レンズは、前記対物レンズの光軸を中心とする外周面と、前記対物レンズの光軸方向の両側に位置するレンズ面とを有し、前記レンズホルダは、前記対物レンズを収容する収容凹部を有し、前記収容凹部は、前記対物レンズの外周面に対応した直径の内周面と、前記２つのレンズ面のうちの一方のレンズ面の外周寄り部分に対応した環状の底面とを有し、前記レンズホルダの内周面と前記対物レンズの外周面との間および前記レンズホルダの底面と前記一方のレンズ面との間に熱伝導性を有する膜が設けられ、前記レンズホルダの内周面と前記対物レンズの外周面との間および前記レンズホルダの底面と前記一方のレンズ面との間にそれぞれ前記膜が介在した状態で前記対物レンズが前記収容凹部に取着されていることを特徴とする。
【発明の効果】
【０００５】
本発明によれば、レンズホルダの内周面と対物レンズの外周面との間に熱伝導性を有する膜が介在し、かつ、レンズホルダの底面と対物レンズの一方のレンズ面との間に熱伝導性を有する膜が介在した状態で対物レンズが収容凹部に取着されている。
したがって、トラッキングコイルおよびフォーカスコイルに電流が流れることによって発生する熱は、レンズホルダを介して膜に伝達されこの膜によって拡散された状態で対物レンズの外周面および一方のレンズ面に伝導される。
これにより、膜を介して対物レンズの外周面および一方のレンズ面に伝導される熱が外周面および一方のレンズ面の全域にわたってほぼ均一となるようにすることが可能となる。
したがって、対物レンズの光軸を中心とする同一半径の円周上に位置する対物レンズ７箇所の温度が対物レンズの全周にわたり半径方向外方に向かって同じような温度勾配で変化することになり、同一半径の円周上に位置する対物レンズ箇所における温度勾配がほぼ零となるようにすることができる。
このように対物レンズの同一半径の円周上に位置する対物レンズ箇所における温度勾配がほぼ零であれば、対物レンズ７に生じる光学収差としてコマ収差や非点収差は非常に少ないものとなるので無視することができ、球面収差のみを考慮すればよい。このような球面収差は光ピックアップの光学系によって容易に補正することができる。
したがって、従来のように熱伝導率が高い材料で構成された環状部材を対物レンズとレンズホルダとの間に介在させることなく、対物レンズにおける温度勾配の発生を抑制することができるので、部品点数を削減でき光ピックアップの小型化およびコストの削減を図る上で有利となり、また、レンズホルダと対物レンズ間に介在される膜はその重量が無視できる程度でありレンズホルダを軽量化できることから光ピックアップの応答性の向上を図る上でも有利となる。
また、レンズホルダと対物レンズの間に介在される膜はレンズホルダに一体的に形成されており、従来のようにレンズホルダと対物レンズの間に環状部材が介在する場合と違って、対物レンズの光軸の位置精度を容易に確保でき製造コストを低減する上で有利となる。
【発明を実施するための最良の形態】
【０００６】
本発明は、小型化、省コスト化を図るとともに、応答性を犠牲にすることなく対物レンズの温度勾配に起因する光学収差の発生を防止するという目的を、レンズホルダの内周面と対物レンズの外周面との間およびレンズホルダの底面と対物レンズの一方のレンズ面との間に熱伝導性を有する膜を設けることで実現した。
【実施例１】
【０００７】
以下、本発明による光ピックアップ及び記録再生装置の実施の形態を図面に基づいて詳細に説明する。
図１は、本発明の実施例１における光ピックアップを組み込んだ光ディスク装置の構成を示すブロック図である。
【０００８】
図１において、光ディスク装置１０１は、ＣＤ−ＲやＤＶＤ±Ｒ、ＤＶＤ−ＲＡＭ、Ｂｌｕ−ｒａｙディスクなどの光記録媒体としての光ディスク１０２を回転駆動する駆動手段としてのスピンドルモータ１０３と、光ピックアップ１０４と、光ピックアップ１０４をその半径方向に移動させる駆動手段としての送りモータ１０５とを備えている。ここで、スピンドルモータ１０３は、システムコントローラ１０７及びサーボ制御部１０９により所定の回転数で駆動制御される構成になっている。
【０００９】
信号変復調部及びＥＣＣブロック１０８は、信号処理部１２０から出力される信号の変調、復調及びＥＣＣ（エラー訂正符号）の付加を行う。光ピックアップ１０４は、システムコントローラ１０７及びサーボ制御部１０９からの指令に従って回転する光ディスク１０２の信号記録面に対して光ビームを照射する。このような光照射により光ディスク１０２に対する光信号の記録、再生が行われる。
また、光ピックアップ１０４は、光ディスク１０２の信号記録面からの反射光ビームに基づいて、後述するような各種の光ビームを検出し、各光ビームに対応する信号を信号処理部１２０に供給できるように構成されている。
【００１０】
前記信号処理部１２０は、各光ビームに対応する検出信号に基づいてサーボ制御用信号、すなわち、フォーカスエラー信号、トラッキングエラー信号、ＲＦ信号、記録時における光ディスクの回転制御を行うために必要なＡＴＩＰ信号などを生成できるように構成されている。また、再生対象とされる記録媒体の種類に応じて、サーボ制御部１０９、信号変調及びＥＣＣブロック１０８等により、これらの信号に基づく復調及び誤り訂正処理等の所定の処理が行われる。
ここで、信号変調及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２に記録された信号を再生信号として受け取ることができるように構成されている。
【００１１】
また、信号変調及びＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
光ピックアップ１０４には送りモータ１０５が接続され、送りモータ１０５の回転によって光ピックアップ１０４が光ディスク１０２上の所定の記録トラックまで移動されるように構成されている。スピンドルモータ１０３の制御と、送りモータ１０５の制御と、光ピックアップ１０４の対物レンズを保持するアクチュエータのフォーカシング方向及びトラッキング方向の制御は、それぞれサーボ制御部１０９により行われる。
すなわち、サーボ制御部１０９は、ＡＴＩＰ信号に基づいてスピンドルモータ１０３の制御を行ない、フォーカスエラー信号およびトラッキングエラー信号に基づいてアクチュエータの制御を行う。
また、サーボ制御部１０９は、信号処理部１２０から入力されるフォーカスエラー信号、トラッキングエラー信号、ＲＦ信号などに基づいて、後述する１つのフォーカスコイル２０（図２参照）に供給するフォーカス用駆動信号Ｓ１および２つのトラッキングコイル３０（図２参照）に供給するためのトラッキング用駆動信号Ｓ２（駆動電流）をそれぞれ生成するように構成されている。
また、レーザ制御部１２１は、光ピックアップ１０４におけるレーザ光源を制御するものである。
【００１２】
なお、図２に示すように、フォーカス方向Ｚとは光ピックアップ１０４の対物レンズ７の光軸方向をいい、トラッキング方向Ｘとはフォーカス方向Ｚと直交する光ディスク１０１の半径方向をいい、タンジェンシャル方向Ｙとはフォーカス方向Ｚおよびトラッキング方向Ｓの双方と直交する方向（光ディスク１０１の円周の接線方向）をいう。
【００１３】
次に光ピックアップ１０４について詳細に説明する。
図２は本発明の実施例１による光ピックアップの斜視図、図３は光ピックアップからヨークベースを取り去った状態を示す分解斜視図である。
【００１４】
光ピックアップ１０４は、光を出射する光源としての半導体レーザと、光ディスク１０２の信号記録面からの反射光ビームを検出する光検出素子としてのフォトダイオードと、半導体レーザからの光を光ディスク１０１に導くとともに、前記反射光ビームを前記光検出素子に導く光学系とを有している。
図２に示すように、光ピックアップ１０４は、光ディスク装置１００の筐体内で光ディスク１０１の半径方向に移動可能に設けられたマウント部材６０上に設けられている。
光ピックアップ１０４は、前記光源から出射された光ビームを集光して光ディスク１０２に照射する対物レンズ７を保持するレンズホルダ２と、レンズホルダ２からタンジェンシャル方向Ｙに間隔をおいて配置されマウント部材６０に取着された支持ブロック３と、レンズホルダ２と支持ブロック３とを連結するサスペンションワイヤ８０とを備え、対物レンズ７は、光ピックアップ１０４の光学系の一部を構成している。
【００１５】
支持ブロック３は、図２に示すように、トラッキング方向Ｘに沿った長さと、フォーカス方向Ｚに沿った高さとを有している。
トラッキング方向Ｘに沿った支持ブロック３の両側には、それぞれフォーカス方向に間隔をおいて２つのワイヤ支持部１４が設けられている。
サスペンションワイヤ８０は合計４本設けられ、レンズホルダ２のトラッキング方向Ｘにおける両側の２つのワイヤ支持部８と、支持ブロック３のトラッキング方向Ｘにおける両側の２つのワイヤ支持部１４とはそれぞれ２本のサスペンションワイヤ８０で連結されている。
２本のサスペンションワイヤ８０はフォーカス方向に間隔をおいて互いに平行に設けられ、支持ブロック３に対してレンズホルダ２をフォーカス方向Ｚとトラッキング方向Ｘとに移動可能に支持している。
これら各サスペンションワイヤ８０は導電性および弾性を有する材質で構成されている。
各サスペンションワイヤ８０のうち、支持ブロック３側の端部は、不図示の配線部材を介して前記サーボ制御部１０９に接続され、サーボ制御部１０９からフォーカス用駆動信号Ｓ１とトラッキング用駆動信号Ｓ２が供給されるように構成されている。
【００１６】
図２に示すように、マウント部材６０にはヨークベース１８が取着され、支持ブロック３はヨークベース１８に取着され、レンズホルダ２はこのヨークベース１８上に配置され、ヨークベース１８には対物レンズ７の光軸が通る部分に不図示の開口が設けられている。
ヨークベース１８のタンジェンシャル方向Ｙの両側には一対のヨーク片１８ａが対向して立設され、各ヨーク片１８ａの互いに対向する面には、タンジェンシャル方向Ｙにおけるレンズホルダ２の両端に臨むように単一の矩形板状のマグネット１９がその厚さ方向をタンジェンシャル方向Ｙに向けてそれぞれ取着されている。
また、ヨークベース１８のトラッキング方向Ｘの両側には、それぞれ２つのヨーク片１８ｂがタンジェンシャル方向Ｙに間隔をおいて立設され、トラッキング方向Ｘの両側のヨーク片１８ｂはトラッキング方向Ｘにおけるレンズホルダ２の両端に臨んでいる。
【００１７】
図２、図３に示すように、レンズホルダ２の外周には１つのフォーカスコイル２０が巻回されている。
フォーカスコイル２０は、このフォーカスコイル２０を構成するコイルの巻回軸線と直交するコイル面を有し、このコイル面がフォーカス方向Ｚに向くように設けられている。
トラッキング方向Ｘにおけるレンズホルダ２の両端面には、それぞれトラッキングコイル３０が取着され合計２つのトラッキングコイル３０が設けられている。
各トラッキングコイル３０は、トラッキングコイル３０を構成するコイルの巻回軸線と直交するコイル面を有し、このコイル面がトラッキング方向Ｘに向くように設けられている。
フォーカスコイル２０および各トラッキングコイル３０は、４本のサスペンションワイヤ８０のレンズホルダ２側の端部に電気的に接続され、フォーカスコイル２０にはサスペンションワイヤ８０を介してフォーカス用の駆動信号Ｓ１が供給され、２つのトラッキングコイル３０にはサスペンションワイヤ８０を介してトラッキング用の駆動信号Ｓ２が供給されるように構成されている。
【００１８】
図３に示すように、対物レンズ７は本実施例では、光軸方向に重ね合わされた２つのプラスチックレンズが接合されることで構成されており、全体として扁平な円柱状を呈しており、対物レンズ７は、対物レンズ７の光軸を中心とする外周面７００２と、対物レンズ７の光軸方向の両側に位置するレンズ面７００４，７００６とを有している。
本実施例では、対物レンズ７のＮＡは例えばＢｌｕ−ｒａｙディスクに対応した０．８５であり、波長４０５ｎｍの光ビームに対応したものである。
【００１９】
図３に示すように、レンズホルダ２は合成樹脂から型で一体成形され、矩形板状を呈し、その中央に対物レンズ７を収容する収容凹部２００２を有し、収容凹部２００２の底部には対物レンズ７の光軸が通る部分に開口２００４が設けられている。
収容凹部２００２は、対物レンズ７の外周面７００２に対応した直径の内周面２００６と、２つのレンズ面７００４，７００６のうちの一方のレンズ面７００４の外周寄り部分に対応した環状の底面２００８とを有し、底面２００８は開口２００４の外周にわたって延在している。
レンズホルダ２の内周面２００６と対物レンズ７の外周面７００２との間およびレンズホルダ２の底面２００８と一方のレンズ面７００４との間に熱伝導性を有する膜４０が設けられている。本実施例では、膜４０は対物レンズ７の光軸を中心に回転対称となる形状で設けられている。
レンズホルダ２の内周面２００６と対物レンズ７の外周面７００２との間およびレンズホルダ２の底面２００８と一方のレンズ面７００４との間にそれぞれ膜４０が介在した状態で対物レンズ７が収容凹部２００２に接着剤により接着され取着されている。
本実施例では、膜４０は金属膜で形成されレンズホルダ２の内周面２００２と底面２００４にそれぞれ設けられている。膜４０の形成は、射出成型回路部品技術、すなわちＭＩＤ（Ｍｏｌｄｅｄ  Ｉｎｔｅｒｃｏｎｎｅｃｔｉｏｎ  Ｄｅｖｉｃｅｓ）を用いてレンズホルダ２と一体的に形成されている。具体的には、型で成形されたレンズホルダ２の成形品の内周面２００２と底面２００４の表面に型を用いて前記金属膜を形成している。なお、このような金属膜の形成は、前記ＭＩＤの他に、メッキによって行ってもよいし、インサート成形によって行ってもよい。
【００２０】
次に光ピックアップ１０４の動作について説明する。
レンズホルダ２をフォーカス方向Ｚおよびトラッキング方向Ｘに移動させる場合について説明する。
サーボ制御部１０９からフォーカスコイル２０にフォーカス用の駆動信号Ｓ１が供給されると、フォーカスコイル２０に発生した磁界と各マグネット１９の磁界との磁気相互作用によって生じるフォーカス方向Ｚの力がレンズホルダ２に作用することによりレンズホルダ２がフォーカス方向Ｚに動かされる。
また、サーボ制御部１０９から各トラッキングコイル３０にトラッキング用の駆動信号Ｓ２が供給されると、各トラッキングコイル３０に発生した磁界と各マグネット１９から各ヨーク１８ｂを介して与えられる磁界との磁気相互作用によってトラッキング方向Ｘの力がレンズホルダ２に作用することによりレンズホルダ２がトラッキング方向Ｘに動かされる。
なお、フォーカス用の駆動信号Ｓ１がフォーカスコイル２０に供給されていない状態では、レンズホルダ２はサスペンションワイヤ８０の弾性によりフォーカス方向Ｚの中立位置に保持され、また、トラッキング用の駆動信号Ｓ２がトラッキングコイル３０に供給されていない状態では、レンズホルダ２はサスペンションワイヤ８０の弾性によりトラッキング方向Ｘの中立位置に保持される。
【００２１】
次に、フォーカスコイル２０に駆動信号Ｓ１が、トラッキングコイル３０に駆動信号Ｓ２が供給され、これらコイルが発熱した状態における、レンズホルダ２および対物レンズ７の温度分布のシミュレーション結果について説明する。
図４は対物レンズおよびレンズホルダを対物レンズ７の光軸と直交する平面で破断した状態における温度分布を示す模式図ある。
フォーカスコイル２０に駆動信号Ｓ１が、トラッキングコイル３０に駆動信号Ｓ２が供給され、これらコイルが発熱した状態では、レンズホルダ２のタンジェンシャル方向の両端部分の温度に比較して、レンズホルダ２のトラッキング方向Ｘの両端側の温度が上昇し、レンズホルダ２の温度分布に偏りが生じる。
本実施例では、図２〜図４に示すように、レンズホルダ２の内周面２００６と対物レンズ７の外周面７００２との間に熱伝導性を有する膜４０が介在し、かつ、レンズホルダ２の底面２００８と対物レンズ７の一方のレンズ面７００４との間に熱伝導性を有する膜４０が介在した状態で対物レンズ７が収容凹部２００２に取着されている。
したがって、トラッキングコイル２０および２つのフォーカスコイル３０に電流が流れることによって発生する熱は、レンズホルダ２を介して膜４０に伝達されこの膜４０によって拡散された状態で対物レンズ７の外周面７００２および一方のレンズ面７００４に伝導される。
これにより、膜４０を介して対物レンズ７の外周面７００２および一方のレンズ面７００４に伝導される熱が外周面７００２および一方のレンズ面７００４の全域にわたってほぼ均一となるようにすることが可能となる。
図４において、符号Ｔ１〜Ｔ６は温度であり、各温度の関係はＴ１＜Ｔ２＜Ｔ３＜Ｔ４＜Ｔ５＜Ｔ６であり、温度Ｔ１、Ｔ２、Ｔ３、Ｔ４、Ｔ５，Ｔ６は隣り合う温度の温度差が一定値となっている。また、前記シミュレーションに際しては、光ピックアップ１０４の環境温度を設定するとともに、光ピックアップ１０４のヨークベース１８についても温度分布の解析を行っているが以下では説明を省略する。
したがって、図４から明らかなように、対物レンズ７の光軸を中心とする同一半径の円周上に位置する対物レンズ７箇所の温度Ｔ１〜Ｔ６のそれぞれが対物レンズ７の全周にわたり半径方向外方に向かって同じような温度勾配で変化することになり、同一半径の円周上に位置する対物レンズ７箇所における温度勾配がほぼ零となるようにすることができる。
このように対物レンズ７の同一半径の円周上に位置する対物レンズ７箇所における温度勾配がほぼ零であれば、対物レンズ７に生じる光学収差としてコマ収差や非点収差は非常に少ないものとなるので無視することができ、球面収差のみを考慮すればよい。このような球面収差は光ピックアップ１０４の光学系によって容易に補正することができる。
本実施例によれば、従来のように熱伝導率が高い材料で構成された環状部材を対物レンズとレンズホルダとの間に介在させることなく、対物レンズにおける温度勾配の発生を抑制することができるので、部品点数を削減でき光ピックアップの小型化およびコストの削減を図る上で有利となり、また、レンズホルダ２と対物レンズ７の間に介在される膜４０はその重量が無視できる程度でありレンズホルダを軽量化できることから光ピックアップの応答性の向上を図る上でも有利となる。
また、レンズホルダ２と対物レンズ７の間に介在される膜４０はレンズホルダ２に一体的に形成されており、従来のようにレンズホルダ２と対物レンズ７の間に環状部材が介在する場合と違って、対物レンズ７の光軸の位置精度を容易に確保でき製造コストを低減する上で有利となる。
【００２２】
なお、本実施例では、膜４０をレンズホルダ２に設けた場合について説明したが、膜４０を対物レンズ７の外周面７００２および一方のレンズ面７００４の外周寄り部分に設けてもよいことは無論である。
また、本実施例では、膜４０が対物レンズ７の光軸を中心に回転対称となる形状で設けられている場合について説明したが、膜４０の形状は上述したシミュレーション結果に基づいて対物レンズ７の同一半径の円周上に位置する対物レンズ７箇所における温度勾配がほぼ零となるような形状であればよいことはもちろんである。
また、本実施例では、対物レンズ７がプラスチックレンズで構成されている場合について説明したが、対物レンズ７がガラスレンズで構成されている場合にも本発明は無論適用可能である。
また、本実施例では、対物レンズ７のＮＡが０．８５である場合について説明したが、本発明は、非点収差やコマ収差の発生を極力防止することが要求されるＮＡが０．８以上の対物レンズを用いる光ピックアップに特に好適である。
しかしながら、本発明は対物レンズのＮＡが０．８未満の光ピックアップに無論適用可能である。
また、本実施例では、対物レンズを保持するレンズホルダにフォーカスコイル及びトラッキングコイルのみを搭載しているが、それ以外の方向で駆動する事を目的とするコイル、例えばチルティングコイル等が搭載されていても本発明は無論適用可能である。
【図面の簡単な説明】
【００２３】
【図１】本発明の実施例１における光ピックアップを組み込んだ光ディスク装置の構成を示すブロック図である。
【図２】本発明の実施例１による光ピックアップの斜視図である。
【図３】光ピックアップからヨークベースを取り去った状態を示す分解斜視図である。
【図４】対物レンズおよびレンズホルダを対物レンズ７の光軸と直交する平面で破断した状態における温度分布を示す模式図ある。
【符号の説明】
【００２４】
２……レンズホルダ、２００２……凹部、２００４……内周面、２００６……底面、７……対物レンズ、７００２……外周面、７００４……一方のレンズ面、２０……フォーカスコイル、３０……トラッキングコイル、４０……膜、１０１……光ディスク装置、１０２……光ディスク、１０４……光ピックアップ。
【図１】
2006004522.tif 000003
【図２】
2006004522.tif 000004
【図３】
2006004522.tif 000005
【図４】
2006004522.tif 000006